【手続補正書】
【提出日】平成19年10月19日(2007.10.19)
【手続補正１】
【補正対象書類名】明細書
【補正対象項目名】発明の名称
【補正方法】変更
【補正の内容】
【発明の名称】情報設定システム、情報設定方法、対象機器、記録機器、記憶媒体およびプログラム
【手続補正２】
【補正対象書類名】明細書
【補正対象項目名】特許請求の範囲
【補正方法】変更
【補正の内容】
【特許請求の範囲】
【請求項１】  設定データを設定する対象機器に、該対象機器の設定データを保存する記録機器を使って情報を設定する情報設定システムであって、
前記対象機器の機器ＩＤを前記対象機器から前記記録機器に送信する第１の送信手段と、
前記対象機器から受信した前記機器ＩＤを基に、前記記録機器に保存された前記対象機器に応じた設定データを検索する検索手段と、
該検索された設定データを前記記録機器から前記対象機器に送信する第２の送信手段と、
前記記録機器から受信した前記設定データを基に、前記対象機器に設定データを設定する設定手段とを備えたことを特徴とする情報設定システム。
【請求項２】  前記対象機器は、前記記録機器のユーザの認証用データを取得する取得手段を備え、前記取得手段により取得した認証用データを前記機器ＩＤとともに前記第１の送信手段により前記記録機器に送信し、
前記記録機器は、前記対象機器から受信した前記認証用データを基に、個人を認証する認証手段を備え、前記個人が認証された場合、前記検索手段により前記機器ＩＤを基に、前記対象機器に応じた設定データを検索することを特徴とする請求項１記載の情報設定システム。
【請求項３】  前記対象機器は、前記記録機器に設定データを登録することを開始するか否かを判別する判別手段と、
前記登録を開始する場合、前記機器ＩＤおよび前記設定データを送信する第３の送信手段とを備え、
前記記録機器は、前記機器ＩＤおよび前記設定データを受信する受信手段と、該受信した前記機器ＩＤおよび前記設定データを保存する保存手段とを備えたことを特徴とする請求項２記載の情報設定システム。
【請求項４】  前記取得手段は、前記ユーザの身体情報を検出する検出手段と、該検出された身体情報から認証用データを作成する作成手段とを備え、
前記判別手段は、前記認証用データが作成される前、前記登録することを開始するか否かを判別することを特徴とする請求項３記載の情報設定システム。
【請求項５】  前記取得手段は、前記ユーザの身体情報を検出する検出手段と、該検出された身体情報から認証用データを作成する作成手段とを備え、
前記判別手段は、前記認証用データが作成された後、前記登録することを開始するか否かを判別することを特徴とする請求項３記載の情報設定システム。
【請求項６】  前記判別手段は、前記認証用データが作成された後、ユーザによる登録の開始の行為あるいはユーザによる再設定の行為のいずれがあったかを判別し、該ユーザによる登録の開始の行為があった場合、前記登録を開始することを特徴とする請求項５記載の情報設定システム。
【請求項７】  前記対象機器および前記記録機器は、それぞれ情報を暗号化する暗号化手段を備え、該暗号化された情報の送受信を行うことを特徴とする請求項１記載の情報設定システム。
【請求項８】  設定データを設定する対象機器に、該対象機器の設定データを保存する記録機器を使って情報を設定する情報設定方法であって、
前記対象機器の機器ＩＤを前記対象機器から前記記録機器に送信する工程と、
前記対象機器から受信した前記機器ＩＤを基に、前記記録機器に保存された前記対象機器に応じた設定データを検索する工程と、
該検索された設定データを前記記録機器から前記対象機器に送信する工程と、
前記記録機器から受信した前記設定データを基に、前記対象機器に設定データを設定する工程とを有することを特徴とする情報設定方法。
【請求項９】  前記記録機器のユーザの認証用データを取得する工程と、
該取得した認証用データを前記機器ＩＤとともに前記対象機器から前記記録機器に送信する工程と、
前記対象機器から受信した前記認証用データを基に、個人を認証する工程とを有し、
前記個人が認証された場合、前記機器ＩＤを基に、前記対象機器に応じた設定データを検索することを特徴とする請求項８記載の情報設定方法。
【請求項１０】  設定データを設定する対象機器であって、
機器ＩＤを、設定データを記録する記録機器に送信する送信手段と、
前記送信手段により送信した前記機器ＩＤに基づいて前記記録機器から送信された設定データを受信する受信手段と、
前記受信手段により受信した設定データを基に、受信した前記設定データを設定する設定手段と、
を有することを特徴とする対象機器。
【請求項１１】  前記記録機器のユーザの認証用データを取得する取得手段を備え、
前記送信手段は前記認証用データを前記機器ＩＤとともに前記記録機器に送信することを特徴とする請求項１０記載の対象機器。
【請求項１２】  対象機器を設定する記録機器であって、
前記対象機器から受信した機器ＩＤを基に、前記対象機器に応じた設定データを検索する検索手段と、
該検索された設定データおよび前記機器ＩＤを、前記対象機器を前記設定データにより設定するために前記対象機器に送信する送信手段とを備えたことを特徴とする記録機器。
【請求項１３】  前記記録機器のユーザの認証用データを、前記対象機器から受信し、該受信した認証用データを基に、個人を認証する認証手段を備え、
前記個人が認証された場合、前記検索手段は、前記対象機器から受信した機器ＩＤを基に、前記対象機器に応じた設定データを検索することを特徴とする請求項１２記載の記録機器。
【請求項１４】  設定データを設定する対象機器により実行されるプログラムであって、
機器ＩＤを、設定データを記録する記録機器に送信する送信工程と、
前記送信工程により送信した前記機器ＩＤに基づいて前記記録機器から送信された設定データを受信する受信工程と、
前記受信工程により受信した設定データを基に、受信した前記設定データを設定する設定工程と、
を有することを特徴とするプログラム。
【請求項１５】  対象機器を設定する記録機器により実行されるプログラムであって、
前記対象機器から受信した機器ＩＤを基に、前記対象機器に応じた設定データを検索する検索工程と、
該検索された設定データおよび前記機器ＩＤを、前記対象機器を前記設定データにより設定するために前記対象機器に送信する送信工程とを備えたことを特徴とするプログラム。
【請求項１６】  請求項１４又は請求項１５に記載のプログラムを記憶したことを特徴とする記録媒体。
【手続補正３】
【補正対象書類名】明細書
【補正対象項目名】０００１
【補正方法】変更
【補正の内容】
【０００１】
【発明の属する技術分野】
本発明は、機器に情報を設定する情報設定システム、情報設定方法、対象機器、記録機器、記憶媒体およびプログラムに関する。
【手続補正４】
【補正対象書類名】明細書
【補正対象項目名】０００７
【補正方法】変更
【補正の内容】
【０００７】
そこで、本発明は、一度設定した機器を使用する度にユーザが手作業で設定し直すという煩雑さを解消できる情報設定システム、情報設定方法、対象機器、記録機器、記憶媒体およびプログラムを提供することを目的とする。
【手続補正５】
【補正対象書類名】明細書
【補正対象項目名】０００８
【補正方法】変更
【補正の内容】
【０００８】
【課題を解決するための手段】
上記目的を達成するために、本発明の請求項１に記載の情報設定システムは、設定データを設定する対象機器に、該対象機器の設定データを保存する記録機器を使って情報を設定する情報設定システムであって、前記対象機器の機器ＩＤを前記対象機器から前記記録機器に送信する第１の送信手段と、前記対象機器から受信した前記機器ＩＤを基に、前記記録機器に保存された前記対象機器に応じた設定データを検索する検索手段と、該検索された設定データを前記記録機器から前記対象機器に送信する第２の送信手段と、前記記録機器から受信した前記設定データを基に、前記対象機器に設定データを設定する設定手段とを備えたことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
請求項８に記載の情報設定方法は、設定データを設定する対象機器に、該対象機器の設定データを保存する記録機器を使って情報を設定する情報設定方法であって、前記対象機器の機器ＩＤを前記対象機器から前記記録機器に送信する工程と、前記対象機器から受信した前記機器ＩＤを基に、前記記録機器に保存された前記対象機器に応じた設定データを検索する工程と、該検索された設定データを前記記録機器から前記対象機器に送信する工程と、前記記録機器から受信した前記設定データを基に、前記対象機器に設定データを設定する工程とを有することを特徴とする。
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】変更
【補正の内容】
【００２２】
請求項１０に記載の対象機器は、設定データを設定する対象機器であって、機器ＩＤを、設定データを記録する記録機器に送信する送信手段と、前記送信手段により送信した前記機器ＩＤに基づいて前記記録機器から送信された設定データを受信する受信手段と、前記受信手段により受信した設定データを基に、受信した前記設定データを設定する設定手段と、を有することを特徴とする。
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】変更
【補正の内容】
【００２４】
請求項１２に記載の記録機器は、対象機器を設定する記録機器であって、前記対象機器から受信した機器ＩＤを基に、前記対象機器に応じた設定データを検索する検索手段と、該検索された設定データおよび前記機器ＩＤを、前記対象機器を前記設定データにより設定するために前記対象機器に送信する送信手段とを備えたことを特徴とする。
請求項１４に記載のプログラムは、設定データを設定する対象機器により実行されるプログラムであって、機器ＩＤを、設定データを記録する記録機器に送信する送信工程と、前記送信工程により送信した前記機器ＩＤに基づいて前記記録機器から送信された設定データを受信する受信工程と、前記受信工程により受信した設定データを基に、受信した前記設定データを設定する設定工程と、を有することを特徴とする。
請求項１５に記載のプログラムは、対象機器を設定する記録機器により実行されるプログラムであって、前記対象機器から受信した機器ＩＤを基に、前記対象機器に応じた設定データを検索する検索工程と、該検索された設定データおよび前記機器ＩＤを、前記対象機器を前記設定データにより設定するために前記対象機器に送信する送信工程とを備えたことを特徴とする。
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】変更
【補正の内容】
【００３０】
【発明の実施の形態】
本発明の情報設定システム、情報設定方法、対象機器、記録機器、記憶媒体およびプログラムの実施の形態を図面を参照しながら説明する。本実施形態では、情報が設定される側の機器を「対象機器」、ユーザによって携帯され、様々な対象機器の設定データを保存して設定する側の機器を「ユーザ設定データ記録機器」と称することにする。